(57)【要約】【課題】床版保持／吊下用部材の取扱性を向上させ、より効率的に床版部材を解体することを可能にする床版部材の解体方法を提供する。【解決手段】床版部材１０を切断するとともに、切断線３０を跨ぎ、切断線３０を挟んで反対側の非分離側の部材に係止させるように床版保持／吊下用部材２０を設置する。このとき、床版保持／吊下用部材２０を、床版部材１０側に配設される一方の支持部材２１と、非分離側に配設される他方の支持部材２２と、一対の支持部材２１、２２を着脱可能に連結する連結部材２３と、一方の支持部材２１及び床版部材１０を貫通するように配設されるボルト部材２６と、床版部材１０の下面側に突出したボルト部材２６に螺合して配設され、ボルト部材２６とともに一方の支持部材２１を床版部材１０に固着するためのナット部材２７と、ナット部材２７に接続した共回り防止用索体２９とを備えて構成する。【選択図】図２
2018123543.tif 000002
【特許請求の範囲】
【請求項１】
床版部材を解体する方法であって、
前記床版部材を上面側から切刃を切り込ませて切断してゆく床版部材切断工程と、
前記床版部材切断工程で前記床版部材を切断するとともに、切断線を跨ぎ、前記切断線を挟んで反対側の非分離側の部材に係止させるように床版保持／吊下用部材を設置する床版保持／吊下用部材設置工程と、
前記床版保持／吊下用部材に索体を接続し、切断分離した前記床版部材を前記床版保持／吊下用部材を介して吊り下げ搬送する床版部材撤去工程とを備えており、
前記床版保持／吊下用部材が、前記床版部材側に固着して配設される一方の支持部材と、前記非分離側に配設される他方の支持部材と、前記一方の支持部材及び前記他方の支持部材を着脱可能に連結するための連結部材と、前記床版部材の上面側から前記一方の支持部材及び前記床版部材を貫通するように配設されるボルト部材と、前記床版部材の下面側に突出した前記ボルト部材に螺合して配設され、前記ボルト部材とともに前記一方の支持部材を前記床版部材に固着するためのナット部材と、前記ナット部材に接続した共回り防止用索体とを備えて構成され、
前記床版部材撤去工程時、あるいは前記床版部材撤去工程後に、前記連結部材を取り外して前記他方の支持部材を前記一方の支持部材から分離するようにし、且つ、前記共回り防止用索体を引っ張って前記ナット部材の回転を抑制しながら前記ボルト部材を回転させて取り外し、前記床版部材から前記床版保持／吊下用部材を取り除くようにすることを特徴とする床版部材の解体方法。
【発明の詳細な説明】
【技術分野】
【０００１】
本発明は、ＲＣ造、Ｓ造、ＳＲＣ造の床版部材を解体する方法に関する。
【背景技術】
【０００２】
例えばオフィスビルなどの建物を解体するにあたり、建物がＳ造（鉄骨造）の場合には、床や梁、柱、壁などの建物構成部材を階層ごとに破砕や部材単体状に解体し、粉砕されたガラや廃材は、破砕機により、開口部より、地上階まで落下させて、搬出し、解体工事を進めてゆく。また、例えば敷地が狭い場合や建物が高層の場合には、タワークレーンを揚重機として使用し、上層階から順に建物を解体してゆく。
【０００３】
より具体的に、Ｓ造の建物を解体する場合には、Ｈ形鋼などの鉄骨の梁や柱を予め支保工やプレートを仮設して支持しておき、ガスバーナなどの切断機や、油圧ショベルのアタッチメントをバケットからカッターに付け替えた解体作業機を用いて切断して、鉄骨部材を解体する。あるいは、ガスバーナなどで鉄骨部材の一部分残すように切断した段階でタワークレーンなどの揚重機で切断解体対象の鉄骨部材を吊り下げ支持し、この状態で残りの鉄骨部分を完全に切断し、分離した鉄骨部材を揚重機で地上に吊り下す（例えば、特許文献１参照）。
【０００４】
一方、ＲＣ造（鉄筋コンクリート造）及び／又はＳＲＣ造（鉄骨鉄筋コンクリート造）の建物をブレーカやカッターを用いて破砕、切断する場合には、大きな騒音や振動が発生し、また、粉塵が飛散するなど、近隣や作業現場内の環境上の悪影響が大きい。このため、解体現場周辺の状況によっては、作業の中断を求められたり、作業時間の短縮を求められることもある。さらに、解体作業時に、柱や壁が倒壊する事故が発生した事例もあり、このような解体工事は特に安全性の点で注意が必要とされる。
【０００５】
これに対し、本願の出願人は、ワイヤーソー（ワイヤーソー装置）やブレードカッター装置を使用し、粉塵の飛散や騒音などを防止しつつ建物の床版部材や梁部材、壁部材、柱部材の建物構成部材の切断・解体する方法について既に特許出願を行っている（特許文献２参照）。
【０００６】
この解体方法で床版部材を解体する際には、ブレードカッター装置で切断を開始し、切断された箇所から順次床版保持／吊下用部材を切断線を跨ぐように設置する。床版部材が切断によって分離された状態では、適宜所定の箇所に配設された複数の床版保持／吊下用部材が切断線を挟んで反対側の非分離側の部材に引っかかるように係止される。
【０００７】
これにより、床版部材は、複数の床版保持／吊下用部材によって支持され、分離した状態で保持される。よって、仮設のサポート架台を下層階の床版部材上に設けて支持することを不要にし、安価な床版保持／吊下用部材を容易に床版部材に取り付けて、切断分離した床版部材を確実に保持することができる。
【０００８】
また、図８や図９に示すように、切断分離した床版部材１０に複数取り付けられた床版保持／吊下用部材１１の吊り孔に玉掛けすることで、ワイヤーロープ等の索体１２を容易に取り付けることができ、クレーンによって床版部材１０を吊り上げて容易に搬送撤去することができる。
【０００９】
さらに、クレーンで床版部材を解体作業場に吊り下した段階で、ナットを外すという簡易な操作で床版部材から床版保持／吊下用部材を取り外すことができる。よって、この床版保持／吊下用部材を転用しながら床版部材の切断分離、搬送撤去を行うことが可能になる。
なお、この解体方法はＳ造の床版部材の解体にも適用可能である。
【先行技術文献】
【特許文献】
【００１０】
【特許文献１】特開２０１２−１９０２号公報
【特許文献２】特開２０１４−２０１９３１号公報
【発明の概要】
【発明が解決しようとする課題】
【００１１】
しかしながら、上記のように床版保持／吊下用部材１１を用いて床版部材１０を解体撤去する手法においては、図９に示すように、床版保持／吊下用部材１１にワイヤーロープ等の索体１２を玉掛けして床版部材１０を吊り下げ、この床版部材１０を直接、搬出トラック１３に載せる場合に、床版保持／吊下用部材１１がトラック荷台に干渉したり、床版保持／吊下用部材１１の取外しを別の場所で行う必要などが生じるケースがあり、この点で改善の余地が残されていた。
【００１２】
本発明は、上記事情に鑑み、床版保持／吊下用部材の取扱性を向上させ、より効率的に床版部材を解体することを可能にする床版部材の解体方法を提供することを目的とする。
【課題を解決するための手段】
【００１３】
上記の目的を達するために、この発明は以下の手段を提供している。
【００１４】
本発明の床版部材の解体方法は、床版部材を解体する方法であって、前記床版部材を上面側から切刃を切り込ませて切断してゆく床版部材切断工程と、前記床版部材切断工程で前記床版部材を切断するとともに、切断線を跨ぎ、前記切断線を挟んで反対側の非分離側の部材に係止させるように床版保持／吊下用部材を設置する床版保持／吊下用部材設置工程と、前記床版保持／吊下用部材に索体を接続し、切断分離した前記床版部材を前記床版保持／吊下用部材を介して吊り下げ搬送する床版部材撤去工程とを備えており、前記床版保持／吊下用部材が、前記床版部材側に固着して配設される一方の支持部材と、前記非分離側に配設される他方の支持部材と、前記一方の支持部材及び前記他方の支持部材を着脱可能に連結するための連結部材と、前記床版部材の上面側から前記一方の支持部材及び前記床版部材を貫通するように配設されるボルト部材と、前記床版部材の下面側に突出した前記ボルト部材に螺合して配設され、前記ボルト部材とともに前記一方の支持部材を前記床版部材に固着するためのナット部材と、前記ナット部材に接続した共回り防止用索体とを備えて構成され、前記床版部材撤去工程時、あるいは前記床版部材撤去工程後に、前記連結部材を取り外して前記他方の支持部材を前記一方の支持部材から分離するようにし、且つ、前記共回り防止用索体を引っ張って前記ナット部材の回転を抑制しながら前記ボルト部材を回転させて取り外し、前記床版部材から前記床版保持／吊下用部材を取り除くようにすることを特徴とする。
【発明の効果】
【００１５】
本発明の床版部材の解体方法においては、ナット部材の取り外し操作時に、共回り用索体を引っ張ってナット部材の回転を抑制しながらボルト部材を軸線周りに回転させる。これにより、ナット部材の共回りを確実に防止でき、ナット部材及びボルト部材、ひいては床版保持／吊下用部材を容易に床版部材から取り外すことが可能になる。
【００１６】
また、床版保持／吊下用部材の一対の支持部材を、連結部材を介してボルト接合しているため、床版部材を直接、搬出トラックに載せるような場合に、連結部材を取り外して一方の支持部材から他方の支持部材を分離することができる。これにより、従来のように床版保持／吊下用部材がトラック荷台に干渉することを確実に防止できる。
【００１７】
よって、本発明の床版部材の解体方法によれば、床版保持／吊下用部材の取扱性を向上させ、より効率的に床版部材を解体することが可能になる。
【図面の簡単な説明】
【００１８】
【図１】本発明の一実施形態に係る建物の解体方法によって建物を解体している状態を示す斜視図である。
【図２】本発明の一実施形態に係る床版部材の解体方法において、切断線を跨ぐように床版保持／吊下用部材を設置した状態を示す側面視図である。
【図３】本発明の一実施形態に係る建物の解体方法で使用する床版保持／吊下用部材を示す平面視図である。
【図４】図３のＸ１−Ｘ１線矢視図であり、本発明の一実施形態に係る建物の解体方法で使用する床版保持／吊下用部材を示す側面視図である。
【図５】本発明の一実施形態に係る建物の解体方法で使用する床版保持／吊下用部材のボルト部材及び吊り部材を示す側面視図である。
【図６】本発明の一実施形態に係る建物の解体方法で使用する床版保持／吊下用部材のナット部材を示す側面視図である。
【図７】本発明の一実施形態に係る建物の解体方法で使用する床版保持／吊下用部材の連結部材を示す側面視図である。
【図８】床版保持／吊下用部材を用いて切断分離した床版部材を、床版保持／吊下用部材を利用して吊り下げ搬送する状態を示す斜視図である。
【図９】床版保持／吊下用部材を用いて切断分離した床版部材を、直接トラックの荷台に搬送する状態を示す側面視図である。
【発明を実施するための形態】
【００１９】
以下、図１から図７（図８、図９）を参照し、本発明の一実施形態に係る床版部材の解体方法について説明する。
【００２０】
はじめに、本実施形態の解体対象の建物は、例えば、オフィスビルなどの高層の建物であり、建物は柱や梁、壁や床の建物構成部材（床版部材、梁部材、柱部材、壁部材など）で構築されている。なお、本発明は、高層の建物への適用に限定する必要はなく、中低層の建物、他の構造物の床版部材の解体に対しても勿論適用可能である。
【００２１】
本実施形態の建物の解体方法では、建物を養生材で適宜覆い、建物の高層階（上階）から順次解体を行ってゆく。また、図１に示すように、例えば、建物１の高層階（上階）から順次ブロック状に解体した部材を吊り下すためのタワークレーン（揚重機）２が建物１のエレベータホールなどを利用して立設されている。さらに、本実施形態では、タワークレーン２で吊り下したブロック状の部材に対してさらなる解体・破砕処理（小割り処理）を施すための解体作業場が建物１の隣地に設けられている。
【００２２】
本実施形態の建物の解体方法では、建物１の床版部材１０や梁部材４、壁部材５、柱部材６の建物構成部材の切断・解体手段としてワイヤーソー装置（ワイヤーソー装置装着作業機７）、ブレードカッター装置を使用する。
【００２３】
このうち、本実施形態では、床版部材１０を解体する方法について説明する。
【００２４】
従来、Ｓ造の床版部材１０を解体する際には、床版部材をタワークレーン２などで吊り下げ支持しておき、小梁鉄骨を最後にガスバーナで切断分離し、搬送撤去する。そして、このＳ造の床版部材の小梁鉄骨は、ガスバーナを用いることにより短時間で切断できるため、クレーン２で床版部材を吊り下げ支持して待っている待機時間も少なくて済み、作業効率上の問題は少ない。
【００２５】
一方、ＲＣ造、ＳＲＣ造の床版部材１０の場合、小梁を切断する時間がかかるため、クレーン２で吊り下げ支持した状態で切断作業を行うとクレーン２の待機時間が非常に長くなってしまう。また、Ｓ造の床版部材においても小梁がない場合は下層階の床版部材１０上に仮設のサポート架台（支保工）を設置して上層階の切断対象の床版部材１０を支持しておくことが必要になる。これにより、仮設の盛替や設置など、多大な労力と時間、コストを要する。さらに、床版部材１０を吊り上げるための玉掛け方法として、従来、床版部材１０にコア抜きの孔を設け、ボルトとワイヤーを通す方法が多用されているが、コア抜き等によってこの玉掛け作業にも多大な手間を要する。
【００２６】
これに対し、本実施形態の床版部材１０の解体方法では、図２（図８）に示すように、床版部材１０を切断作業時に保持するとともに、クレーン２による吊り上げ（吊り下し）時にワイヤーロープ等の索体１２を接続するための床版保持／吊下用部材２０を切断（解体）対象の床版部材１０に取り付けるようにする。
【００２７】
具体的に、本実施形態の床版保持／吊下用部材２０は、例えば、図２から図７に示すように、断面コ字状の一対の溝形鋼（一対の支持部材）２１、２２と、一対の溝形鋼２２同士をボルト接合するための連結板（連結部材）２３とを備えて構成されている。また、一方の溝形鋼２１の底板部にはボルト挿通孔２４が貫通形成されている。
【００２８】
また、本実施形態の床版保持／吊下用部材２０は、溝形鋼２１のボルト挿通孔２４及び床版部材１０に貫通形成した貫通孔２５に挿通して設置されるボルト部材２６と、ボルト部材２６に螺合するナット部材２７と、ボルト部材２６に一体に取り付けられ、クレーンに繋がる索体を玉掛けして床版部材１０を吊り下げるための吊り部材２８と、ナット部材２７に一端を接続して取り付けられた共回り防止用索体２９とを備えている。
【００２９】
そして、本実施形態では、図２に示すように、床版部材１０に対し、ウォールソーや道路カッター、プランジカッター等のブレードカッター装置の回転するブレード（切刃）を上面側から切り込ませ、このブレードカッター装置で切断された箇所に切断線３０を跨ぐように順次床版保持／吊下用部材２０を取り付けてゆく（床版部材切断工程、床版保持／吊下用部材設置工程）。
【００３０】
このとき、床版部材１０の所定位置に上面から下面に貫通する貫通孔２５を穿設し、この貫通孔２５とボルト挿通孔２４が連通するように、連結板２３で一体にボルト接合された一対の溝形鋼２１、２２を設置する。
【００３１】
また、貫通孔２５とボルト挿通孔２４にボルト部材２６を挿通するとともに、床版部材１０の下面側に突出したボルト部材２６にナット部材２７を螺合して床版保持／吊下用部材２０を床版部材１０に固着する。
【００３２】
さらに、ナット部材２７に一端を接続して共回り用索体２９を取り付けておく。
【００３３】
これにより、床版部材１０が切断によって分離された状態では、適宜所定の箇所に配設された複数の床版保持／吊下用部材２０が切断線３０を挟んで反対側の非分離側の部材に引っかかるように係止される。このため、床版部材１０は、複数の床版保持／吊下用部材２０によって支持され、分離した状態で保持される。
【００３４】
よって、従来のように仮設のサポート架台を下層階の床版部材１０上に設けて支持することを不要にし、安価な床版保持／吊下用部材２０を容易に床版部材１０に取り付けて、切断分離した床版部材１０を確実に保持することが可能になる。
【００３５】
また、切断分離した床版部材１０に複数取り付けられた床版保持／吊下用部材２０の吊り部材２８に玉掛けすることで、図８に示したケースと同様、ワイヤーロープ等の索体１２を容易に取り付けることができ、クレーン２によって床版部材１０を吊り上げて容易に搬送撤去することができる（床版部材撤去工程）。
【００３６】
さらに、クレーン２で床版部材１０を吊り下した段階で、ナット部材２７をボルト部材２６から外すことで、床版部材１０から床版保持／吊下用部材２０を取り外すことができ、この床版保持／吊下用部材２０を転用しながら床版部材１０の切断分離、搬送撤去を行うことが可能になる。
【００３７】
ここで、本実施形態においては、このナット部材２７の取り外し操作時に、共回り用索体２９を床版部材１０の上面側に引き上げ、共回り用索体２９を引っ張ってナット部材２７の回転を抑制しながらボルト部材２６を軸線周りに回転させる。これにより、ナット部材２７の共回りを確実に防止でき、ナット部材２７及びボルト部材２６、ひいては床版保持／吊下用部材２０を容易に床版部材１０から取り外すことが可能になる。すなわち、床版保持／吊下用部材２０の取り外しを別の場所で行うことを不要にでき、作業効率の向上を図ることが可能になる。また、このとき、ナット部材２７を押えるために作業員が手を床版部材１０の下に入れずに床版部材１０の上からボルト部材２６を外すことができるため、安全に作業を行うことができる。
【００３８】
また、一対の溝形鋼２１、２２を連結板２３を介してボルト接合しているため、床版部材１０を直接、搬出トラック１３に載せるような場合に、連結板２３を取り外して一方の溝形鋼２１から他方の溝形鋼２２を分離することができる。これにより、床版保持／吊下用部材２０がトラック荷台に干渉することを確実に防止できる。
【００３９】
よって、本実施形態の床版部材１０の解体方法によれば、床版保持／吊下用部材２０の取扱性を向上させ、より効率的に床版部材１０を解体することが可能になる。
【００４０】
以上、本発明に係る床版部材の解体方法の一実施形態について説明したが、本発明は上記の一実施形態に限定されるものではなく、その趣旨を逸脱しない範囲で適宜変更可能である。
【符号の説明】
【００４１】
１      建物
２      タワークレーン（揚重機）
４      梁部材（建物構成部材）
５      壁部材（建物構成部材）
６      柱部材（建物構成部材）
７      ワイヤー装置を搭載した作業機
１０    床版部材（建物構成部材）
１１    従来の床版保持／吊下用部材
１２    索体
１３    トラック
２０    床版保持／吊下用部材
２１    溝形鋼（一方の支持部材）
２２    溝形鋼（他方の支持部材）
２３    連結板（連結部材）
２４    ボルト挿通孔
２５    貫通孔
２６    ボルト部材
２７    ナット部材
２８    吊り部材
２９    共回り防止用索体
３０    切断線
【図１】
2018123543.tif 000003
【図２】
2018123543.tif 000004
【図３】
2018123543.tif 000005
【図４】
2018123543.tif 000006
【図５】
2018123543.tif 000007
【図６】
2018123543.tif 000008
【図７】
2018123543.tif 000009
【図８】
2018123543.tif 000010
【図９】
2018123543.tif 000011